(57)【要約】      （修正有）【課題】釣糸での道糸側とハリス側に介在させる伸縮自在の弾性線条体で其れらの両端にサルカン（撚り戻し具）を接続してなる釣用クッションの引っ張りでサルカンと弾性線条体の接続点での切断のない、サルカンと弾性線条体の接続構造にした釣用クッションにすること。【解決手段】道糸とハリスの間に介在する弾性線条体１の端部１ａの少なくとも一方にサルカン２を接続してなる釣用クッション（釣り糸用接続具）での、サルカンが接続してなる樹脂成型品或いは金属製の止め体３が、個別の弾性線条体１の端部１ａを結合する為の係合孔４或いは係合スリット５を具備し、其れらに、端部１ａを屈曲接合し且つ双方の接合を溝体６や個別の蓋体で固着して、サルカン２と伸縮自在の弾性線条体１を止め板３に接続される事で、弾性線条体１の切断を防止する構成にする。【選択図】図１
0003119661.tif 000002
【実用新案登録請求の範囲】
【請求項１】
道糸とハリスの間に介在する弾性線条体（１）の端部（１ａ）の少なくとも一方にサルカン（２）を接続して構成する釣用クッションに於いて、サルカン（２）が接続でなる樹脂成型品或いは金属製の止め体（３）が、個別の弾性線条体（１）の端部（１ａ）を係合する為の係合孔（４）或いは係合スリット（５）を具備し、其れらに端部（１ａ）を屈曲接合し且つ双方の接合を溝体（６）や個別の蓋体（７）で固着したことを特徴とする、釣用弾性線条体止め具。
【請求項２】
サルカン（２）が接続でなる樹脂成型品或いは金属製の止め体（３）のやや中央部に設けた支え軸（８）に差し込まれて偏芯回動する回転体（９）を係合スリット（５）に近接設け、此れらに屈曲接合する弾性線条体（１）の端部（１ａ）は個別の蓋体（７）で固着し回転体（９）に巻装する弾性線条体（１）の引っ張りでの回転体（９）の回動で弾性線条体（１）を回転締め付け増強手段にしたことを特徴とする釣用弾性線条体止め具。
【請求項３】
上記する止め体（３）の片端にサルカン（２）部位の回転溝（１０）を設け、此れらの回転溝（１０）に係合し回動自在でなる回動体（１１）が一体型にし、該回動体（１１）にハリス或いは道糸の接続部（１２）を具備したサルカン（２）にしたことを特徴とする請求項１又は２記載の釣用弾性線条体止め具。
【考案の詳細な説明】
【技術分野】
【０００１】此の考案は釣糸用接続具（釣用クッション）に関し、詳しくは道糸側とハリス側に接続し、魚が釣れた際の衝撃を緩和し、ハリス切れを防止に使われる釣用クッションの改良で、此の釣用クッションの端子に接続するハリスと道糸の接続部が引っ張り集中荷重を受け早期に破損することのない、強靭な釣用弾性線条体止め具を具備した釣用クッションに関する。
【背景技術】
【０００２】此の種の従来の技術として、図７で述べる様に、道糸側とハリス側の間に介在する弾性線条体１′の端部１ａ′にサルカン（撚り戻し具）２が接続され、此れらの双方のサルカン２は、金属製の本体２ｃの両側面に回動自在に係合する第１リング２ａと第２リング２ｂとで構成し、第１リング２ａには弾性線条体１′の端部１ａ′をループ状１ｂ′に熱溶着等で接着でループ閉じ部１ｃ′での構成で、此れらの弾性線条体１′の両端に設けたループ状１ｂ′のそれぞれに道糸とハリスが接続されてる。【０００３】そして、此のように構成する釣用クッションは道糸側とハリス側の間に接続されて、釣り場でハリスの釣り針に付けた餌に魚が食いついて逃げ回る瞬時に働く衝撃が強靭な第１、第２リング２ａ、２ｂでのサルカン２を中継して接続する釣用クッションの伸縮性によって、餌に食いついた釣り針での魚の口切れで釣りミスや、ハリスや道糸等の不測な切断をを未然に防止し、更には魚の一瞬の急激な引きに順応することで魚への針掛りを確実なものにし、釣りの成果を上げてる。
【考案の開示】
【考案が解決しようとする課題】
【０００４】しかしながら従来技術での釣用クッションは両端部にサルカンの金線材でのリングを接続するのに、其のリングに伸縮自在の弾性線条体はウレタンゴムでの材質で、所定の硬さ、伸びや太さ、長さでの其の両端部をサルカンのリングに通してループ状にし、その端が解けないように熱を加え溶かしながら接着するため、其の接着近辺、即ちループ状の部分が劣化し弾性体の伸縮性のないウレタンゴムに変質してしまいもろくなり引っ張り強度が落ち、サルカンのリングとの接点部に集中する魚の引き力の加勢することで、決まってその接点部から切断し、本来のウレタンゴムの引っ張り切断強度を保持出来ずに頻繁に新品との交換を強いられる等の課題がある。【０００５】そしてまた、切断によって弾性線条体である、ウレタンゴムの両端部にセットで構成する金属製の２個のサルカンを同時に廃棄しなければならないないと言う課題が残る。
此のように、ウレタンゴムの固有の持つ物理特性での引っ張り切断強度を損なわない構成でのサルカンとの接続構造が強く要望されていた。
【課題を解決するための手段】
【０００６】此の考案はかかる課題を解決する為に、請求項１では図１〜図５で述べる様に道糸とハリスの間に介在する弾性線体１の端部１ａにサルカン（撚り戻し具）２を接続して構成する釣用クッションであって、サルカン２が端子に游合接続された樹脂成型品或いは金属製の止め体３が、個別の弾性線条体１の端部１ａを係合する為の係合孔４或いは係合スリット５を具備し、其れらに端部１ａを屈曲接合し且つ双方の接合を溝体６や個別の蓋体７で固着する構成とする。【０００７】次に請求項２での考案を図６で述べるに、サルカン２が端子に游合接続された樹脂成型品或いは金属製の止め体３のやや中央部に設けた支え軸８に差し込まれて偏芯回動する回転体９を係合スリット５に近接設け、此れら屈曲接合する弾性線条体１の端部１ａは個別の蓋体７で固着し回転体９に巻装する弾性線条体１の引っ張りでの回転体９の回動で弾性線条体１を回動締め付け増強手段にする構成である。【０００８】次にまた請求項３での考案を図８で述べるに、上記する止め体３の片端にサルカン２部位の回転溝１０を設け、此れらの回転溝１０に係合し回動自在でなる回動体１１が一体型にし、該回動体１１にハリス或いは道糸の接続部１２を具備したサルカン２付きでの構成である。
【考案の効果】
【０００９】本考案は上述の通り構成作用するので次の優れた効果を奏する。即ち伸縮自在の弾性線条の両端部はサルカンのリングに通しループ状にする事なく止め体を中継してサルカンと弾性線条体とが接続される事で、サルカンのリング接点部に１点集中して切断することの無い、弾性線条体の持つ引っ張り限界強度を有効活用出来る事で最強の釣用弾性線条体止め具を提供する事が出来る。【００１０】また個別のサルカンを本考案での止め体に接続する事なく止め体の片端に一体型にサルカン機能う具備した釣用弾性線条体止め具を提供する事が出来る。【００１１】またサルカンと弾性線条体との結合はループ状レスでの構成の為弾性線条体の切断後は現場で手持調達の弾性線条体を適時適当な長さにカットして手作業で作れる事で自分好みの釣用クッションの出来る釣用弾性線条体止め具を提供出来る。
【考案を実施するための最良の形態】
【００１２】以下に実施例に基づいて本考案を更に詳細に説明する。即ち図１〜図５は本考案での第１請求項１での実施例に基づくもので、詳しくは図１（ａ）は釣用クッション全体斜視図で、縮自在でのウレタンゴム材での所定の太さと長さの弾性線条体１の両端部１ａが細長い板状等の樹脂成型品の止め板３の平面に弾性線条体１が貫通する２個の係合孔４を開口ししたもので、弾性線条体端部１ａを此れらの係合孔４に交互に屈曲して差し込み、止め板３に直立して一体化した２個の溝体６の弾性線条体１の太さよりやや小さいスリットの溝体６に弾性線条体１の端部１ａを無理嵌めすることで、止め板３と弾性線条体１とが結合し、此れらの止め板３は、其の端に設けた孔３ａに游合してサルカン２の第１リング２ａが接続されて道糸或いはハリスに連結を可能にした実施例である。また図２での（ｂ）は止め板３の平面に弾性線条体１が貫通する４個の係合孔４を開口した要部斜視図で此れらの係合孔４に端部１ａを交互に屈曲差し込みすることで、強いランクの弾性線条体１の強硬な結合に選択採用を可能にした第２実施例である。【００１３】次に図２（ｃ）では前記する請求項１での樹脂成型品の止め板３の平面に弾性線条体１が貫通する係合孔４に変わる係合スリット５を止め板３の側面に切り込みを交互に開口して、此れらの係合スリット５に弾性線条体１の端部１ａを交互に屈曲させ差し込み双方を結合するが本実施例では係合スリット５の溝巾は伸縮自在での弾性線条体１の太さより僅かに小さくし、端部１ａの差し込み時に弾性線条体１を引っ張りながら（太さが細くなる）差し込む事で、引っ張りの解放後に弾発力で強固な結合が具現化する第３実施例を示す構成である。【００１４】次に図２（ｄ）は前記する図２（ｄ）の実施例部分要部斜視図での係合スリット５に結合する端部１ａを溝体６に差し込んだ後に、個別の蓋体７を固着し双方の結合を堅剛にする仕組みの第４実施例を述べるものである。又図３では第５実施例での要部斜視図で、図２での樹脂成型品の止め板３の両側面に切り込んだ係合スリット５を片面の側面にのみ切り込んで、此れらの片面切り込みに弾性線条体１の端部１ａを交互に屈曲結合し、此れらが止め板３に直立一体化した２個の溝体６に接合し、更には此れらの止め板３の端に開口する孔３ａに游合するサルカン２が接続された構成である。【００１５】次に図４での要部部分斜視図は請求項１での第６実施例での樹脂成型品の止め板３の係合スリット５の溝の形状を前記の係合スリット５と若干の形状変更での実施例で、特に図５での第７実施例では係合スリット５は止め板３の平面に切り込んだ蛇行の溝状での形状に端部１ａを無理嵌め接合での構成で、此の様に請求項１での構成はいずれも同一狙いの範囲で、此れらのサルカン付きでの止め板３の材質を樹脂成型品の他に金属製加工でも良く、樹脂成型品に特定するものでなく、更には止め板３の外観形状を図示の板状に限定する事なく棒状での止め板３などの選択も出来、（図示せづ）更には此れらの止め板３と伸縮自在での弾性線条体１との接続手段は本実施例での形態を特定するものでなく、此れらに類似する一部設計変更での接続手段でも良く、サルカン２にダイレクトに弾性線条体１の端部１ａを接続することのない、止め板３の溝等に端部１ａを絡ませ結合し、此れらの止め板３にサルカン２を接続する構成を狙いとするものである。【００１６】次に図６での要部部分斜視図で請求項２での第８実施例を述べるが、サルカン２が接続でなる樹脂成型品或いは金属製の止め板３で、其の止め板３のやや中央部に直立で設けた支え板８に差し込まれて偏芯回動する板状での回転体９を２本の並列する係合スリット５に近接して設け、片方の係合スリット５に強着する弾性線条体１の端部１ａが回転体９に巻装して他の係合スリット５から延長する弾性線条体１にし、此れらの止め板３に個別の蓋体７がネジ７ａ等で固着する構成である。【００１７】此のよう道糸側とハリス側に介在する釣用クッションは、ハリス側の魚の食いつき過激な引っ張りが強ければ強いほど弾性線条体１の回転体９に巻装した端部１ａの引っ張り移動に依って回転体９が矢印方向へ連動する偏芯回動によって回転体９外周が溝に差し込まれれて挟着する端部１ａを締め付け最強時点に回転体９がロック構成を具現している。【００１８】次に図８での要部部分斜視図で請求項３での第９実施例を述べるが、上記する止め板３の片端にサルカン２部位である回転溝１０を設け、此れらの回転溝１０に嵌込まれて回動自在でなる回動体１１を一体型にし、該回動体１１にハリス或いは道糸を結び付ける為の接続部１２を具備するサルカン機能を設けた止め板３の構成で、魚のハリスの変則的な移動や動きで、回動体１１は止め板３に連動絡むことのないサルカン機能を果たしている。
【図面の簡単な説明】
【００１９】
【図１】  図中（ａ）は本考案での第１実施例での全体を示す斜視図である  図中（ｂ）は本考案での第２実施例での要部での部分斜視図である
【図２】  図中（ｃ）は本考案での第３実施例での要部での部分斜視図である  図中（ｄ）は本考案での第４実施例での要部での部分斜視図である
【図３】  本考案での第５実施例での要部での斜視図である
【図４】  本考案での第６実施例での要部での斜視図である
【図５】  本考案での第７実施例での要部での斜視図である
【図６】  本考案での第８実施例での要部での斜視図である
【図７】  従来技術での全体を示す釣用クッションの全体斜視図である  図中（ｅ）は従来技術での弾性線条体の切断形態の部分図である
【図８】  本考案での第９実施例での要部での斜視図である
【符号の説明】
【００２０】１、１      弾性線条体
１ａ，１ａ  端部
２          サルカン
３          止め板
４          係合孔
５          係合スリット
６          溝体
７          蓋体
８          支え軸
９          回転体
１０        回転溝
１１        回動体
【図１】
0003119661.tif 000003
【図２】
0003119661.tif 000004
【図３】
0003119661.tif 000005
【図４】
0003119661.tif 000006
【図５】
0003119661.tif 000007
【図６】
0003119661.tif 000008
【図７】
0003119661.tif 000009
【図８】
0003119661.tif 000010
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
道糸とハリスの間に介在する弾性線条体（１）の端部（１ａ）の少なくとも一方にサルカン（２）を接続して構成する釣用クッションに於いて、サルカン（２）が接続してなる樹脂成型品或いは金属製の止め体（３）が、個別の弾性線条体（１）の端部（１ａ）を係合する為の係合孔（４）或いは係合スリット（５）を具備し、其れらに端部（１ａ）を屈曲接合し且つ双方の接合を溝体（６）や個別の蓋体（７）で固着したことを特徴とする、釣用弾性線条体止め具。
【請求項２】
サルカン（２）が接続してなる樹脂成型品或いは金属製の止め体（３）のやや中央部に設けた支え軸（８）に差し込まれて偏芯回動する回転体（９）を係合スリット（５）に近接設け、此れらに屈曲接合する弾性線条体（１）の端部（１ａ）は個別の蓋体（７）で固着し回転体（９）に巻装する弾性線条体（１）の引っ張りでの回転体（９）の回動で弾性線条体（１）を回転締め付け増強手段にしたことを特徴とする釣用弾性線条体止め具。
【請求項３】
上記する止め体（３）の片端にサルカン（２）部位の回転溝（１０）を設け、此れらの回転溝（１０）に係合し回動自在でなる回動体（１１）が一体型にし、該回動体（１１）にハリス或いは道糸の接続部（１２）を具備したサルカン（２）にしたことを特徴とする請求項１又は２記載の釣用弾性線条体止め具。